(57)【要約】【課題】１人でも見栄え良く貼り付けることができるコーナークッションを提供する。【解決手段】角部を形成するように接続された第１コーナー形成面および第２コーナー形成面における角部近傍のコーナー部分に沿って貼りつけられるコーナークッション１において、長さ方向に延びる長尺のシート状のクッション材２と、クッション材２の表側を被覆する表側シート材３と、クッション材２の裏側を被覆する裏側シート材４と、裏側シート材４の裏面における長さ方向に直交する幅方向の両端部近傍に幅方向に間隔をあけてそれぞれ設けられ、長さ方向に延びる板状の一対の板部６，６と、一対の板部６，６それぞれの裏面に設けられた第１コーナー形成面および第２コーナー形成面に接着可能な一対の接着部７，７と、を有する。【選択図】図４
2018105062.tif 000002
【特許請求の範囲】
【請求項１】
角部を形成するように接続された第１コーナー形成面および第２コーナー形成面における前記角部近傍のコーナー部分に沿って貼りつけられるコーナークッションにおいて、
長さ方向に延びる長尺のシート状のクッション材と、
前記クッション材の表側を被覆する表側シート材と、
前記クッション材の裏側を被覆する裏側シート材と、
前記裏側シート材の裏面における前記長さ方向に直交する幅方向の両端部近傍に前記幅方向に間隔をあけてそれぞれ設けられ、前記長さ方向に延びる板状の一対の板部と、
前記一対の板部それぞれの裏面に設けられ、前記第１コーナー形成面および前記第２コーナー形成面に接着可能な一対の接着部と、を有することを特徴とするコーナークッション。
【請求項２】
前記一対の接着部は、それぞれ前記長さ方向に配列された複数の粘着テープを有し、
前記複数の粘着テープは、それぞれ粘着層と、前記粘着層の裏面に設けられた剥離紙と、を有することを特徴とする請求項１に記載のコーナークッション。
【請求項３】
前記表側シート材と前記裏側シート材との間に溜まった水を抜く水抜き孔が設けられていることを特徴とする請求項１または２に記載のコーナークッション。
【発明の詳細な説明】
【技術分野】
【０００１】
本発明は、建設現場の仮囲いなどにおけるコーナー部分に設けられるコーナークッションに関する。
【背景技術】
【０００２】
従来、建設現場の仮囲いなどにおけるコーナー部分には、周囲にコーナー部分の存在を知らせるとともに、万が一、人がぶつかっても怪我をしたり、洋服を傷めたりしないようにするために、コーナークッションが設けられている（例えば、特許文献１参照）。このようなコーナークッションとしては、耐水性および可撓性のあるシート材に覆われたスポンジなどのシート状のクッション材の裏面を粘着テープで設置対象となるコーナー部分に貼りつける形態のものが知られている。コーナークッションは、コーナー部分に沿った長尺の部材で、高さ寸法が仮囲いの高さに合せた例えば２ｍ程度と設定されることがある。
【先行技術文献】
【特許文献】
【０００３】
【特許文献１】特開２００９−１８５５２６号公報
【発明の概要】
【発明が解決しようとする課題】
【０００４】
ところで、コーナークッションの裏面全体に１枚の粘着テープが設けられている場合、コーナークッションを設置する際に、作業者が１人で粘着テープの剥離紙をはがしてコーナークッションをコーナー部分に貼りつけると、コーナークッションが曲がったり皺ができたりした状態でコーナー部分に貼りつけられてしまい、コーナークッションの見栄えが悪いことがある。このため、コーナークッションを見栄え良く貼りつけるには、コーナークッションが曲がったり皺ができたりしないようにコーナークッションを数人で引っ張りながら貼りつける必要がある。
【０００５】
そこで、本発明は、１人でも見栄え良く貼り付けることができるコーナークッションを提供することを目的とする。
【課題を解決するための手段】
【０００６】
上記目的を達成するため、本発明に係るコーナークッションは、角部を形成するように接続された第１コーナー形成面および第２コーナー形成面における前記角部近傍のコーナー部分に沿って貼りつけられるコーナークッションにおいて、長さ方向に延びる長尺のシート状のクッション材と、前記クッション材の表側を被覆する表側シート材と、前記クッション材の裏側を被覆する裏側シート材と、前記裏側シート材の裏面における前記長さ方向に直交する幅方向の両端部近傍に前記幅方向に間隔をあけてそれぞれ設けられ、前記長さ方向に延びる板状の一対の板部と、前記一対の板部それぞれの裏面に設けられ、前記第１コーナー形成面および前記第２コーナー形成面に接着可能な一対の接着部と、を有することを特徴とする。
【０００７】
本発明では、コーナークッションの幅方向の両端部近傍それぞれに、長さ方向に延びる一対の板部が設けられている。これにより、一対の板部それぞれが芯材となるため、コーナークッションが曲がったりコーナークッションに皺ができたりすることを抑制できる。その結果、コーナークッションを曲がったり皺ができたりせずにコーナー部分に沿って容易に貼りつけることができ、コーナークッションを１人でも見栄え良く貼りつけることができる。
また、コーナークッションの幅方向の中間部には、板部および接着部が設けられていないことにより、コーナークッションを幅方向の中間部で屈曲させてコーナー部分の形状になじませやすいとともに、１つの接着部をコーナー部分の角部を跨ぐように貼りつけることがないため、接着作業を容易に行うことができる。
本発明では、クッション材に対して表側シート材が設けられている側を表側とし、クッション材に対して裏側シート材が設けられている側を裏側としている。
【０００８】
また、本発明に係るコーナークッションでは、前記一対の接着部は、それぞれ前記長さ方向に配列された複数の粘着テープを有し、前記複数の粘着テープは、それぞれ粘着層と、前記粘着層の裏面に設けられた剥離紙と、を有していてもよい。
一対の接着部がそれぞれ長さ方向に配列された複数の粘着テープを有していることにより、粘着テープ毎に順番に、剥離紙をはがしてコーナークッションをコーナー部分に貼りつけることができる。
また、コーナークッションにおける貼りつけようとする部分以外の粘着テープは、剥離紙をはがさなければ粘着層が露出していないため、貼りつけようとする部分以外が不用意にコーナー部分に貼りついてしまうことを防止できる。
さらに、コーナークッションのうちの既に貼りつけられた部分を基準としてまだ貼りつけられていない部分の位置決めをできるため、コーナークッションの位置決めを容易にかつ確実に行うことができ、コーナークッションを１人でも見栄え良く貼りつけることができる。例えば、コーナークッションのうちの一部以上が貼りつけられた状態で、まだ貼りつけられていない他の部分を引っ張って伸ばしながら位置決めをすれば、コーナークッションの位置決めを容易にかつ確実に行うことができ、コーナークッションを１人でも見栄え良く貼りつけることができる。
【０００９】
また、本発明に係るコーナークッションでは、前記表側シート材と前記裏側シート材との間に溜まった水を抜く水抜き孔が設けられていてもよい。
このような構成とすることにより、表側シート材と裏側シート材との間に万が一、雨水などの水が入ってしまったとしても、水抜き孔から水が排出されて表側シート材と裏側シート材との間に水が溜まることがないため、コーナークッションの汚れや劣化を防止でき、コーナークッションを見栄え良く維持することができる。
【発明の効果】
【００１０】
本発明によれば、コーナークッションを１人でも見栄え良く貼り付けることができる。
【図面の簡単な説明】
【００１１】
【図１】本発明の実施形態によるコーナークッションの一例を示す図である。
【図２】本発明の実施形態によるコーナークッションの正面図である。
【図３】本発明の実施形態によるコーナークッションの裏面図である。
【図４】図２のＡ−Ａ線断面図である。
【図５】コーナークッションを取り付ける一の目印を示す図である。
【発明を実施するための形態】
【００１２】
以下、本発明の実施形態によるコーナークッションについて、図１乃至図４に基づいて説明する。
図１に示すように、本実施形態によるコーナークッション１は、建設現場の仮囲いなどにおけるコーナー部分１１に、周囲にコーナー部分１１の存在を知らせるとともに、人がぶつかって怪我をしたり、洋服を傷めたりしないために設けられている。コーナークッション１は、長尺の部材で、コーナー部分１１に沿って上下方向に延びるように設けられている。
コーナー部分１１は、２つの面によって形成された略９０°となる角部１１１の近傍の領域を示しており、角部１１１を形成する２つの面のうちの一方の面を第１コーナー形成面１２とし、他方の面を第２コーナー形成面１３とする。
【００１３】
以下の説明では、コーナークッション１におけるコーナー部分１１に貼りつけられた際にコーナー部分１１と対向せずに露出する側を表側とし、コーナー部分１１に対向して貼りつけられる側を裏側とする。また、コーナークッション１において貼りつけられた際に上下方向となる方向を長さ方向とし、長さ方向に直交してコーナークッション１の表面および裏面に沿った方向を幅方向とし、長さ方向および幅方向に直交する方向を厚さ方向とする。
長さ方向のうち、コーナークッション１がコーナー部分１１に貼りつけられた際に上側となる側を長さ方向の一方側とし、下側となる側を長さ方向の他方側とする。
【００１４】
また、コーナークッション１は、図２乃至図４に示すように、シート面が略平坦となるように形成され、図１に示すように、コーナー部分１１に沿って貼りつけられるとコーナー部分１１に沿って曲がるように構成されている。以下のコーナークッション１の各部材の説明では、コーナークッション１がコーナー部分１１に貼りつけられる前のシート面が略平坦面となった状態であるものとする。
【００１５】
図２乃至図４に示すように、コーナークッション１は、長さ方向に延びる長尺のシート状のクッション材２と、クッション材２の表側を被覆する表側シート材３（図２および図４参照）と、クッション材２の裏側を被覆する裏側シート材４（図３および図４参照）と、表側シート材３の表側に設けられた反射シート材５（図２および図４参照）と、裏側シート材４の裏側にそれぞれ設けられた一対の板部６，６（図３および図４参照）と、一対の板部６，６それぞれの裏側に設けられた一対の接着部７，７（図３および図４参照）と、を有している。
【００１６】
クッション材２は、発泡ポリエチレンやスポンジなどの弾性を有する部材で、板面が略長方形となる長尺の板状に形成されている。クッション材２は、縁部がそれぞれ表側から裏側に向かって漸次幅方向の外側に向かう斜め面に形成されていて、長さ方向に直交する断面形状および幅方向に直交する断面形状がそれぞれ略台形に形成されている。
クッション材２は、長さ方向に２つに分割されている。分割されたクッション材２１，２２のうち、長さ方向の一方側（上側）に配置されるものを第１クッション材２１とし、長さ方向の他方側（下側）に配置されるものを第２クッション材２２とする。
【００１７】
表側シート材３は、塩ビシート等の耐水性および可撓性を有する軟質のシート材で、クッション材２より長さ方向および幅方向に長い１枚のシート材で構成されている。
裏側シート材４は、塩ビシート等の耐水性および可撓性を有する軟質のシート材で、クッション材２より長さ方向および幅方向に長い１枚のシート材で構成されている。本実施形態では、表側シート材３および裏側シート材４は、長さ寸法が略２０００ｍｍ、幅寸法が略１７０ｍｍに形成されている。
表側シート材３と裏側シート材４とは、第１クッション材２１および第２クッション材２２を挟んだ状態で、それぞれの縁部が互いに接着されている。また、表側シート材３と裏側シート材４とは、第１クッション材２１と第２クッション材２２との間の隙間においても互いに接着されている。
【００１８】
本実施形態では、表側シート材３と裏側シート材４とは、長さ方向の他方側（下側）の縁部の一部が接着されていない。この接着されていない部分における表側シート材３と裏側シート材４との間は、表側シート材３と裏側シート材４との間に万が一雨水などの水が入り込んだ際にこの水を排出させるための水抜き孔８（図２参照）となっている。
【００１９】
図２および図４に示すように、反射シート材５は、耐水性および可撓性を有する軟質のシートで、外部からの光を反射するように構成されている。本実施形態では、反射シート材５は、表側シート材３の表面に長さ方向に間隔をあけて複数貼りつけられている。複数の反射シート５は、それぞれ、裏面の全面が表側シート３の表面に接着されている。
本実施形態では、複数の反射シート５は、それぞれ長さ方向および幅方向に対して斜め方向に延びる辺を有する平行四辺形のシートに形成されている。複数の反射シート５は、表側シート３の表面に長さ方向に等間隔をあけて貼りつけられることで、長さ方向および幅方向に対して斜め方向に延びる縞模様を形成している。なお、表側シート３の長さ方向の両端部近傍には、それぞれ表側シート３の長さ方向の両端部の形状に合わせた三角形の反射シート５が貼りつけられている。
コーナークッション１には、例えば、青色や緑色の表側シート３に、白色の反射シート５が貼りつけられることで青色と白色の縞模様や、緑色と白色の縞模様が形成され、また、黒色の表側シート３に黄色の反射シート５が貼りつけられることで黒色と黄色の縞模様が形成される。
【００２０】
コーナークッション１は、表側シート３と反射シート材５とが形成する縞模様によって周囲の人にコーナー部分１１の存在を知らせるように構成されている。
反射シート材５には、例えば長さ方向の一方側（上側）に、コーナークッション１を設置する施工会社などのマークや社名が記載されていてもよい。反射シート材５の上側にマークや社名が記載されていることにより、コーナークッション１の上下を容易に判断することができる。
【００２１】
図３および図４に示すように、一対の板部６，６のうちの幅方向の一方側の板部６は、長さ方向に配列された２つの板材６１，６２を有し、幅方向の他方側の板部６は、長さ方向に配列された２つの板材６３，６４を有している。これらの板材６１〜６４は、それぞれ板面が略長方形となる長尺の部材で、例えば厚さが０．３５ｍｍ程の塩ビ板などで形成されている。これらの板材６１〜６４を第１〜第４板材６１〜６４とする。
【００２２】
第１板材６１は、裏側シート材４の裏側における幅方向の一方側かつ長手方向の一方側（上側）に、幅方向の一方側かつ長手方向の一方側の角部を裏側シート材４の幅方向の一方側かつ長手方向の一方側の角部と合せるように設けられている。本実施形態では、第１板材６１は、長さ寸法が略９６５ｍｍ、幅寸法が略５０ｍｍに形成されている。第１板材６１の長さ方向の他方側の縁部は、第１クッション材２１の長さ方向の他方側の縁部と厚さ方向に略重なる位置に配置されている。
【００２３】
第２板材６２は、裏側シート材４の裏側における幅方向の一方側かつ長手方向の他方側（下側）に、幅方向の一方側かつ長手方向の他方側の角部を裏側シート材４の幅方向の一方側かつ長手方向の他方側の角部と合せるように設けられている。本実施形態では、第２板材６２は、長さ寸法が略１０２５ｍｍ、幅寸法が略５０ｍｍに形成されている。第２板材６２の長さ方向の一方側の縁部は、第２クッション材２２の長さ方向の一方側の縁部と厚さ方向に略重なる位置に配置されている。
第１板材６１と第２板材６２とは、長さ方向に略１０ｍｍあけて配置されている。
【００２４】
第３板材６３は、裏側シート材４の裏側における幅方向の他方側かつ長手方向の一方側（上側）に、幅方向の一方側かつ長手方向の他方側の角部を裏側シート材４の幅方向の他方側かつ長手方向の一方側の角部と合せるように設けられている。本実施形態では、第３板材６３は、長さ寸法が略９６５ｍｍ、幅寸法が略５０ｍｍに形成されている。第３板材６３の長さ方向の他方側の縁部は、第１クッション材２１の長さ方向の他方側の縁部と厚さ方向に略重なる位置に配置されている。
第１板材６１と第３板材６３とは、幅方向に略７０ｍｍあけて配置されている。
【００２５】
第４板材６４は、裏側シート材４の裏側における幅方向の他方側かつ長手方向の他方側（下側）に、幅方向の他方側かつ長手方向の他方側の角部を裏側シート材４の幅方向の他方側かつ長手方向の他方側の角部と合せるように設けられている。本実施形態では、第４板材６４は、長さ寸法が略１０２５ｍｍ、幅寸法が略５０ｍｍに形成されている。第４板材６４の長さ方向の一方側の縁部は、第２クッション材２２の長さ方向の一方側の縁部と厚さ方向に略重なる位置に配置されている。
第３板材６３と第４板材６４とは、長さ方向に略１０ｍｍあけて配置されている。第２板材６２と第４板材６４とは、幅方向に略７０ｍｍあけて配置されている。
第１板材６１と第２板材６２が長さ方向に間隔をあけて配置され、第３板材６３と第４板材６４が長さ方向に間隔をあけて配置されていることにより、第１板材６１と第２板材６２との間、および第３板材６３と第４板材６４との間を境としてコーナークッション１を長さ方向に折り曲げることができる。
【００２６】
一対の接着部７，７のうちの幅方向の一方側の接着部７は、長さ方向に配列された２つの粘着テープ７１，７２を有し、幅方向の他方側の接着部７は、長さ方向に配列された２つの粘着テープ７３，７４を有している。これらの粘着テープ７１〜７４を第１〜第４粘着テープ７１〜７４とすると、第１粘着テープ７１は、第１板材６１の裏面全体に設けられ、第２粘着テープ７２は、第２板材６２の裏面全体に設けられ、第３粘着テープ７３は、第３板材６３の裏面全体に設けられ、第４粘着テープ７４は、第４板材６４裏面全体に設けられている。
第１〜第４粘着テープ７１〜７４は、それぞれ両面テープなどで構成され、第１〜第４板材６１〜６４の裏面それぞれに貼りつけられた粘着層７５と、粘着層７５の裏側に設けられた剥離紙７６と、を有している。
【００２７】
次に、コーナークッション１の設置方法について説明する。
まず、図５に示すように、設置対象となる仮囲いのコーナー部分１１の第１コーナー形成面１２および第２コーナー形成面１３の埃や汚れを取り、第１コーナー形成面１２および第２コーナー形成面１３のコーナークッション１の外縁部が配置される位置に目印をつける。本実施形態では、第１コーナー形成面１２の下端から２０００ｍｍの位置に水平線となる第１横線１２１を引き、第２コーナー形成面１３の下端から２０００ｍｍの位置に水平線となる第２横線１３１を引く。第１コーナー形成面１２のコーナー部分１１の角から８５ｍｍ離れた位置に鉛直線となる第１縦線１２２を引き、第２コーナー形成面１３のコーナー部分１１の角から８５ｍｍ離れた位置に鉛直線となる第２縦線１３２を引く。
【００２８】
コーナー部分１１の第１横線１２１、第２横線１３１、第１縦線１２２および第２縦線１３２に囲まれた領域のうち、第１コーナー形成面１２の上部側が第１板材６１が貼りつけられる第１板材貼付部１２３となり、第１コーナー形成面１２の下部側が第２板材６２が貼りつけられる第２板材貼付部１２４となり、第２コーナー形成面１３の上部側が第３板材６３が貼りつけられる第３板材貼付部１３３となり、第２コーナー形成面１３の下部側が第４板材６４が貼りつけられる第４板材貼付部１３４となる。
【００２９】
続いて、コーナークッション１をコーナー部分１１に貼りつける。
まず、コーナークッション１の上下を確認し、第１粘着テープ７１の剥離紙７６をはがし、第１板材６１を第１縦線１２２および第１横線１２１に合せて第１板材貼付部１２３に貼りつける。
第１板材６１が貼りつけられたら、第２粘着テープ７２の剥離紙７６をはがし、第２板材６２を第１縦線１２２に合せて第２板材貼付部１２４に貼りつける。
【００３０】
第２板材６２が貼りつけられたら、第３粘着テープ７３の剥離紙７６をはがし、コーナークッション１を幅方向の略中央部で折り曲げるようにして、第３板材６３を第２横線１３１および第２縦線１３２に合せて第３板材貼付部１３３に貼りつける。第１板材６１と第３板材６３とが幅方向に間隔をあけて配置されていて、第２板材６２と第４板材６４とが幅方向に間隔をあけて配置され、コーナークッション１の幅方向の中間部に板材が設けられていないことにより、コーナークッション１を幅方向の中間部において幅方向に容易に折り曲げることができる。
このとき、コーナークッション１を上側かつ幅方向の他方側に引っ張りながら行うと、コーナークッション１が曲がったり皺ができたりすることが防止される。
【００３１】
第３板材６３が貼りつけられたら、第４粘着テープ７４の剥離紙７６をはがし、第４板材６４を第２縦線１３２に合せて第４板材貼付部１３４に貼りつける。
このとき、コーナークッション１を幅方向の一方側に引っ張りながら行うと、コーナークッション１が曲がったり皺ができたりすることが防止される。
第４板材６４が貼りつけられたら、コーナークッション１の剥がれや浮きやないかを確認し、剥がれや浮きがあれば、その部分を確実に接着する。
このようにしてコーナークッション１が設置される。
【００３２】
次に、上述したコーナークッション１の作用・効果について図面を用いて説明する。
上述した本実施形態によるコーナークッション１では、コーナークッション１の幅方向の両端部近傍それぞれに、長さ方向に延びる一対の板部６，６が設けられ、一対の板部６，６が第１〜第４板材６１〜６４を有している。これにより、第１〜第４板材６１〜６４それぞれが芯材となるため、コーナークッション１が曲がったりコーナークッション１に皺ができたりすることを抑制できる。その結果、コーナークッション１を曲がったり皺ができたりせずにコーナー部分１１に沿って容易に貼りつけることができ、コーナークッション１を１人でも見栄え良く貼りつけることができる。
また、コーナークッション１の幅方向の中間部には、板部６および接着部７が設けられていないことにより、コーナークッション１を幅方向の中間部で屈曲させてコーナー部分１１の形状になじませやすいとともに、１つの接着部７をコーナー部分１１の角部１１１を跨ぐように貼りつけることがないため、接着作業を容易に行うことができる。
【００３３】
また、一対の接着部７，７は、それぞれ長さ方向配列された第１〜第４粘着テープ７１〜７４を有していることにより、第１〜第４粘着テープ７１〜７４の剥離紙７６を１つずつ順番にはがしながら、コーナークッション１をコーナー部分１１に貼りつけることができる。
また、コーナークッション１のうちの貼りつけようとする部分以外は、粘着テープの剥離紙７６をはがさなければ粘着層７５が露出していないため、貼りつけようとする部分以外が不用意にコーナー部分１１に貼りついてしまうことを防止できる。
さらに、コーナークッション１のうちの既に貼りつけられた部分を基準としてまだ貼りつけられていない部分の位置決めをできるため、コーナークッション１の位置決めを容易にかつ確実に行うことができ、コーナークッション１を１人でも見栄え良く貼りつけることができる。例えば、コーナークッション１のうちの一部以上が貼りつけられた状態で、まだ貼りつけられていない他の部分を引っ張って伸ばしながら位置決めをすれば、コーナークッション１の位置決めを容易にかつ確実に行うことができ、コーナークッション１を１人でも見栄え良く貼りつけることができる。
【００３４】
また、表側シート材３と裏側シート材４との間には、水抜き孔８が設けられていることにより、表側シート材３と裏側シート材４との間に万が一、雨水などの水が入ってしまったとしても、水抜き孔８から水が排出されて表側シート材３と裏側シート材４との間に水が溜まることがないため、コーナークッション１の汚れや劣化を防止でき、コーナークッション１を見栄え良く維持することができる。
【００３５】
以上、本発明によるコーナークッション１の実施形態について説明したが、本発明は上記の実施形態に限定されるものではなく、その趣旨を逸脱しない範囲で適宜変更可能である。
例えば、上記の実施形態では、一対の板部６，６は、それぞれ長さ方向に配列された２つの板材で構成されているが、それぞれ１つの板材で構成されていてもよいし、３つ以上の板材で構成されていてもよい。また、一対の板部６，６の一方と他方とが異なる数の板材で構成されていてもよい。
また、上記の実施形態では、一対の接着部７，７は、それぞれ長さ方向に配列された２つの接着テープで構成されているが、それぞれ１つの接着テープで構成されていてもよいし、３つ以上の接着テープで構成されていてもよい。また、一対の接着部７，７の一方と他方とが異なる数の接着テープで構成されていてもよい。
【００３６】
また、上記の実施形態では、表側シート材３と裏側シート材４との間には、水抜き孔８が設けられているが、設けられていなくてもよい。また、水抜き孔８が設けられる場合は、水抜き孔８の数や位置は適宜設定されてよい。
また、上記の実施形態では、各部材の寸法を記載しているが、各部材の寸法や形状は適宜設定されてよい。また、反射シート材５の形状や数は限定されず、表側シート材３と反射シート材５とが形成する模様は適宜設定されてよい。また、コーナークッション１に反射シート材５が設けられていなくてもよい。
【符号の説明】
【００３７】
１  コーナークッション
２  クッション材
３  表側シート材
４  裏側シート材
５  反射シート材
６  板部
７  接着部
８  水抜き孔
１１  コーナー部分
１２  第１コーナー形成面
１３  第２コーナー形成面
７１〜７４  第１〜第４粘着テープ
７５  粘着層
７６  剥離紙
１１１  角部
【図１】
2018105062.tif 000003
【図２】
2018105062.tif 000004
【図３】
2018105062.tif 000005
【図４】
2018105062.tif 000006
【図５】
2018105062.tif 000007